(57)【要約】【課題】簡単な構造と操作で、ケース本体内に積層収納されておいた複数枚のカードを、全てのカードが無くなるまで１枚ずつ素早く且つ確実に取り出すことができるカードケースを提供する。【解決手段】カードＢを積層収納すると共に、同カードＢの取出し口２を一側に備えるケース本体Ａと、カードＢ下に備えられて取出し口２の開口位置に積層最上段のカードＢから１枚ずつ対向位置させるようにカードＢを押し上げる少なくとも弾性体3-1からなる押上げ手段３とで構成され、更にケース本体Ａには積層最上段側のカードＢから１枚ずつ取出し口２方向に指先操作でスライドさせて同取出し口２からカードＢを１枚ずつ繰り出しながら取り出するための操作長孔１が備えられていることである。【選択図】図２
0003108210.tif 000002
【実用新案登録請求の範囲】
【請求項１】
複数枚のカードを積層収納し得る大きさで、同カードの取出し口を一側に備えるケース本体と、このケース本体内の積層カード下に備えられて、積層最上段のカードから１枚ずつ前記取出し口に対向位置させるようにカードを押し上げる押上げ手段とで構成され、
前記ケース本体に、積層最上段のカードから１枚ずつ前記取出し口方向に指先操作でスライドさせるための操作長孔が開口されており、
更に、上記押上げ手段が、少なくともカードを押し上げることができる程度の大きさを有する略矩形形状に形成されて略ドーム状に弾性変形するようにケース本体内に内設される板状の弾性体で構成されていることを特徴とするカードケース。
【請求項２】
請求項１記載の板状弾性体は、短辺一側縁側を取出し口が開口するケース本体内一側側に移動不能に固定する一方で、短辺他側縁側をフリー移動自在と成してカードを押し上げる方向に略ドーム状に弾性変形するようにケース本体内に内設されていることを特徴とするカードケース。
【考案の詳細な説明】
【技術分野】
【０００１】
本考案は、カードケースに係り、例えばプラスチック等からなる基材に人気キャラクターやその他のゲーム用絵柄（図柄）等が印刷されている各種のカード、所謂トレーディングカード等を所要複数枚積層させた状態で収納しておくことができと共に、積層最上段側のカードから１枚ずつ繰り出すように取り出すことができるカードケースに関する。
【背景技術】
【０００２】
従来、カードケースとしては、例えば開閉蓋体の外面に支承させた円盤のための回転駆動機構と回転停止機構、及びその回転停止機構に連動してケース本体内に積層収納されているカードを繰り出すカード繰出し機構とを備えたものが知られている（特許文献１）。
【０００３】
しかし乍ら、この従来カードケースにおいては構造の複雑化によるコスト高を招く容易となるばかりか、回転駆動機構を作動させずに、つまり、円盤を回転させることなく、カードを１枚ずつ繰り出すことができない構造であることから、操作が面倒でカードを素早く取り出すことができなかった。
【０００４】
【特許文献１】実公平７−１９４９８号
【考案の開示】
【考案が解決しようとする課題】
【０００５】
本考案が解決しようとする課題は、簡単な構造と操作で、ケース本体内に積層収納されている複数枚のカードを、全てのカードが無くなるまで１枚ずつ素早く且つ確実に取り出すことができるカードケースを提供することにある。
【課題を解決するための手段】
【０００６】
上記課題を解決するために本考案は、請求項１では、複数枚のカードを積層収納し得る大きさで、同カードの取出し口を一側に備えるケース本体と、このケース本体内の積層カード下に備えられて、積層最上段のカードから１枚ずつ前記取出し口に対向位置させるようにカードを押し上げる押上げ手段とで構成され、
前記ケース本体に、積層最上段のカードから１枚ずつ前記取出し口方向に指先操作でスライドさせるための操作長孔が開口されており、
更に、上記押上げ手段が、少なくともカードを押し上げることができる程度の大きさを有する略矩形形状に形成されて略ドーム状に弾性変形するようにケース本体内に内設される板状の弾性体で構成されていることを特徴とする。
上記板状弾性体の材質としては復元性に優れた板材であれば特に限定されるものではないが、例えばバネ材を含む金属製の板材や合成樹脂製の板材等が挙げられる。合成樹脂製の板材から弾性体を形成した場合にはカードの積層方向に略ドーム状に弾性変形するように、輪ゴム等のゴム材或いは引張りスプリング等のバネ材からなる弾発部材を用いて、弾性体がカードの積層方向に略ドーム状に弾性変形するようにすることが好適なものとなる。
【０００７】
また、上記板状弾性体の短辺一側縁側を取出し口が開口するケース本体内の一側側に移動不能に固定する一方で、短辺他側縁側をフリー移動自在と成してカードの積層方向に略ドーム状に弾性変形するようにケース本体内に内設させることが好適なものとなる。請求項２）。
【考案の効果】
【０００８】
本考案の請求項１記載によれば、ケース本体の操作長孔に指先を入れてカードを取出し口方向にスライドさせるように移動させることで、積層最上段の１枚目のカードから取り出すことができる。そして、１枚目のカードが取出し口から取り出されると、次のカードが取出し口の開口位置に対向するように略ドーム状に弾性変形する板状の弾性体により押し上げられることとなり、これにより、ケース本体内に積層収納させておいたカードを１枚ずつ確実に取出し口から繰り出しながら取り出すことができる。
従って、カードに印刷されている表示内容により、勝敗を決めたりするゲーム中においてケース本体に積層収納させておいたカードを１枚ずつ素早く取り出しながら勝敗を決める遊び（ゲーム）を行なうことができる。
しかも、ケース本体内に積層収納させておいた所要複数枚のカードを１枚ずつ取出し口の開口位置に対向するように板状の弾性体により順次に押し上げて取り出すことができる簡単な構造としてなることで、コストの面においても有利なカードケースを提供することが可能になる。
【０００９】
また、請求項２記載によれば、弾性体は短辺一側縁側を取出し口が開口するケース本体内の一側側に移動不能に、そして短辺側縁側をフリー移動自在と成してカードの積層方向に付勢する略ドーム状に弾性変形する動き。
つまり、カードを取出し口方向にスライドさせる指先操作に伴う指先の動きによってカードの短辺一側縁を取出し口の開口位置に対向位置させるように、該短辺一側縁側を押し上げる弾性変形を成すようにケース本体内の取出し口側に弾性体を内設させてなることで、カードを積層方向に付勢する弾性体の略ドーム状に弾性変形する動きによってケース本体内に積層収納させておいた積層最上段のカードから１枚ずつ取出し口に確実に対向位置させながら素早く取り出すことができ、しかも、最後の１枚まで確実に取り出すことが可能になる。
【考案を実施するための最良の形態】
【００１０】
本考案の最良の実施形態を図１〜図３に基づいて説明する。
【実施例１】
【００１１】
図１は、本考案カードケースの実施形態の一例を示し、Ａはケース本体であり、ケース本体Ａに備えられている操作長孔１からの指先操作で、同本体Ａ内に所要複数枚積層されて収納されている積層最上段の一枚目のカードＢからケース本体Ａの短辺一側に備えられている取出し口２方向にスライドさせて同取出し口２からカードＢを１枚ずつ繰り出しながら取り出すことができるようにしている。
そして、取出し口２の開口位置に積層最上段のカードＢから対向位置させるように積層方向にカードＢを適宜押し上げる押上げ手段３がケース本体Ａ内に内設されている。
【００１２】
ケース本体Ａは、合成樹脂材料等の所望な材料から成形されるもので、カード収納部A-1と、この収納部A-1の開口部を開閉する開閉蓋A-2とからなる。
カード収納部A-1は、カードＢの大きさと略同じ程度の大きさを有する開口部を備え、所要複数枚のカードＢを積層せしめた状態で収納し得る深さを有する略矩形形状の箱型に形成され、その短辺一側には取出し口２が開口されており、閉鎖部には前記取出し口２方向に指先操作でカードＢを１枚ずつスライドさせるための操作長孔１が開口されている。
【００１３】
開閉蓋A-2は、カード収納部A-1と一体又は別体に成形されて、カード収納部A-1の開口部に、アリ溝やその他のスライド係合手段やヒンジ等によって開閉自在に取り付けられて、該開口部を閉鎖するようにしている。
尚、図示を省略しているが、開閉蓋A-2にズボン等の腰部やベルト等に係脱自在に引掛けることで、ケース本体Ａを腰等に備えておける適宜の弾性を有する引掛け片部等を設けると良い。
【００１４】
操作長孔１は、カード収納部A-1の閉鎖部中央部位において、同収納部A-1の長辺方向に向けて適宜の開口幅と開口長さにて開口されて、指先操作でカードＢを１枚ずつ取出し口２方向にスライド移動し得るようにしている。
【００１５】
取出し口２は、カード収納部A-1の閉鎖部に面する当該収納部A-1の短辺一側における立上り周壁の根元コーナー部位に、カードＢ１枚の厚さに相当する程度の開口幅（隙間）にて開口されて、カードＢが１枚ずつスライドにより繰り出されるようにしている。
尚、図においては取出し口２の開口幅が、カードＢの厚さよりもかなり広い状態で描かれているが、カードＢを１枚ずつ確実に繰り出しながら取り出すためにはカードＢ１枚分の厚さと同じ開口幅の開口形状とすることが好適なものとなる。
【００１６】
また、本例では図２の（ａ）に拡大して示したように、カード収納部A-1の短辺一側における同収納部A-1の閉鎖部と立上り周壁とのコーナー部位において、該閉鎖部側に位置させて取出し口２を開口している。
即ち、立上り周壁とのコーナー連設部位には指先操作で繰り出される積層最上段の１枚目のカードＢのみを、押上手段３による押上弾発力により取出し口２の開口位置に対向位置させ、次に繰り出される２枚目のカードＢが１枚目のカードＢと共に取出し口２から繰り出されないように２枚目及びそれ以降のカードＢの短辺縁部を係止受け止めるための受止め部４が形成されている。
【００１７】
而して、この様に受止め部４が形成されていることによって、次に繰り出される２枚目のカードＢの短辺縁部は受止め部４によって係止受け止められることとなることから、積層最上段の１枚目のカードＢのみが取出し口２から繰り出されるように指先操作でスライドされて取り出されることとなる。
【００１８】
押上げ手段３は、カード収納部A-1内に所要複数枚が積層されて収納されるカードＢの下に備えられることで、積層されているカードＢを積層方向に押し上げる。
つまり、取出し口２が面一延長線上において開口されているカード収納部A-1の閉鎖部方向に、カードＢの短辺一側の半部側又はその縁部側のみ、或いはカードＢ全体を押し上げる役目を成すものである。
【００１９】
本例では、薄板状に形成した合成樹脂製の板材を用いて、長辺がカード収納部A-1の短辺一側から相対する他側側に至る程度の長さ（大きさ）を有する略矩形形状に形成した弾性体3-1にて形成して、図２及び図３に示すように、輪ゴム等のゴム材或いは引張りスプリング等のバネ材からなる弾発部材3-2によってカードＢを積層方向に押し上げ付勢する略ドーム状に弾性変形するようにケース本体Ａの開閉蓋A-2内面に配設する。
【００２０】
次に、弾性体3-1の開閉蓋A-2内面への配設形態の具体例について説明すると、図３に示したように、取出し口２側に位置する開閉蓋A-2の短辺一側側内面に凸状の係止部５を設けて、該係止部５に弾性体3-1の短辺一側縁側を移動不能に係止保持させる。
そして、開閉蓋A-2の内面に長辺方向に平行な２本の案内開口溝７を設ける共に、この両側の案内開口溝７に離脱不能に嵌合係止せしめて前記係止部５と平行なスライド部材６を取り付けて、該スライド部材６に弾性体3-1の短辺他側縁側を係止保持させることによって、該短辺他側縁側をフリー移動自在と成し、輪ゴム等のゴム材からなる弾発部材3-2を図３の（ｂ）に示すように、係止部５からスライド部材６に亘り弾装せしめることで、カードＢの積層方向に略ドーム状に弾性変形（膨出変形）させる弾発力が弾性体3-1に付与されるようにしている（図２参照）。
【００２１】
而して、弾性体3-1は、カードＢを取出し口２方向に指先操作でスライドさせる際に、カードＢの短辺一側縁を取出し口２の開口位置に対向位置させて、当該取出し口２から確実に繰り出されるようにカードＢを積層方向に押し上げるものである。
【００２２】
尚、図示を省略しているが、輪ゴム等のゴム材に代えて引張りプリング等のバネ材を用いて、カードＢを積層方向に付勢する弾発力を弾性体3-1に付与せしめる場合には係止部５の両端とスライド部材６の両端とに亘り２本の引張りバネ材を夫々弾装せしめるものである。
【００２３】
因みに、本例使用のカードＢは、人気キャラクターやその他のゲーム用絵柄（図柄）、記号、文字、そしてそれら組み合わせ等が印刷されている。例えば、麻雀パイの絵柄とグー、チョキ、パーの図形とが組み合わせて印刷されており、更には勝敗でのアイコを少なくするために１万、二万等の数字を併用して組み合わせ印刷することで、例えば、グー、チョキ、パーのようにジャンケンでは勝った者でも一万と二万での数字の大きい方が勝者となる等の工夫を備えてなるものである。
【００２４】
次に、以上のように構成された本例のカードケースの使用について簡単に説明する。
図２に示すように、取出し口２が開口されているケース本体の短辺一側側と相対する反対側の他側側における操作長孔１に指先（例えば中指等）を入れ、同取出し口２に臨む積層最上段のカードＢを押す。
すると、図２の（ｂ）に二点鎖線で示したように、指先にて押されたカードＢの短辺一側縁側が下がり、取出し口２側の短辺他側縁側が上がる。これによって、ケース本体Ａ内の収納積層されているカードＢの内、積層最上段の１枚目のカードＢを取出し口２の開口位置に対向位置させることとなり、操作長孔１に沿って移動する指先の動きにより積層最上段のカードＢのみが取出し口２方向（矢印Ｘ方向）にスライドされて、同取出し口２からケース本体Ａ外に繰り出されるものである。
【００２５】
そして、図２（ｂ）に示すように、ケース本体ＡのカードＢの積層枚数が少なくなった場合でも、弾性体3-1の略ドーム状に弾性変形する動きによって、全てのカードＢが無くなるまで取出し口２の開口位置に対向位置されて全てのカードＢを１枚ずつ確実に繰り出しながら取り出せるものである。
【００２６】
尚、本考案の具体的な実施例にあっては、前述の実施例１詳述の構成に限定されるものではなく、請求項１〜２記載の要旨を免脱しない範囲で種々変更して行うことができるものである。
【図面の簡単な説明】
【００２７】
【図１】本考案カードケースの実施形態の一例を示す斜視図
【図２】図１のII−II線断面図で、（ａ）は積層収納されたカード枚数が多い状態での指先操作によるカードのスライド繰り出し状態を示す、（ｂ）はカード枚数が少なくなった状態での指先操作によるカードのスライド繰り出し状態を示す
【図３】開閉蓋の内面に対する板状押上部材、弾発部材及びスライド部材の組込み装着する一例を示す斜視図で、（ａ）はスライド部材と弾発部材を開閉蓋の内面に装着する状態を示す、（ｂ）は係止部とスライド部材との間に板状押上部材を装着する状態を示す
【符号の説明】
【００２８】
Ａ：ケース本体      A-1：カード収納部
A-2：開閉蓋           １：操作長孔
２：取出し口         ３：押上げ手段
3-1：弾性体          3-2：弾発部材
４：受止め部         ５：係止部
６：スライド部材     ７：案内開口溝
Ｂ：カード
【図１】
0003108210.tif 000003
【図２】
0003108210.tif 000004
【図３】
0003108210.tif 000005
【手続補正書】
【提出日】平成16年12月6日(2004.12.6)
【手続補正１】
【補正対象書類名】実用新案登録請求の範囲
【補正対象項目名】全文
【補正方法】変更
【補正の内容】
【実用新案登録請求の範囲】
【請求項１】
複数枚のカードを積層収納し得る大きさで、同カードの取出し口を一側に備えるケース本体と、このケース本体内の積層カード下に備えられて、積層最上段のカードから１枚ずつ前記取出し口に対向位置させるようにカードを押し上げる押上げ手段とで構成され、
前記ケース本体に、積層最上段のカードから１枚ずつ前記取出し口方向に指先操作でスライドさせるための操作長孔が開口されており、
更に、上記押上げ手段が、少なくともカードを押し上げることができる程度の大きさを有する略矩形形状に形成されて略弓なり状に弾性変形するようにケース本体内に内設される板状の弾性体で構成されていることを特徴とするカードケース。
【請求項２】
請求項１記載の板状弾性体は、短辺一側縁側を取出し口が開口するケース本体内一側側に移動不能に固定する一方で、短辺他側縁側をフリー移動自在と成してカードを押し上げる方向に略弓なり状に弾性変形するようにケース本体内に内設されていることを特徴とするカードケース。
【手続補正２】
【補正対象書類名】明細書
【補正対象項目名】０００６
【補正方法】変更
【補正の内容】
【０００６】
上記課題を解決するために本考案は、請求項１では、複数枚のカードを積層収納し得る大きさで、同カードの取出し口を一側に備えるケース本体と、このケース本体内の積層カード下に備えられて、積層最上段のカードから１枚ずつ前記取出し口に対向位置させるようにカードを押し上げる押上げ手段とで構成され、
前記ケース本体に、積層最上段のカードから１枚ずつ前記取出し口方向に指先操作でスライドさせるための操作長孔が開口されており、
更に、上記押上げ手段が、少なくともカードを押し上げることができる程度の大きさを有する略矩形形状に形成されて略弓なり状に弾性変形するようにケース本体内に内設される板状の弾性体で構成されていることを特徴とする。
上記板状弾性体の材質としては復元性に優れた板材であれば特に限定されるものではないが、例えばバネ材を含む金属製の板材や合成樹脂製の板材等が挙げられる。合成樹脂製の板材から弾性体を形成した場合にはカードの積層方向に略弓なり状に弾性変形するように、輪ゴム等のゴム材或いは引張りスプリング等のバネ材からなる弾発部材を用いて、弾性体がカードの積層方向に略弓なり状に弾性変形するようにすることが好適なものとなる。
【手続補正３】
【補正対象書類名】明細書
【補正対象項目名】０００７
【補正方法】変更
【補正の内容】
【０００７】
また、上記板状弾性体の短辺一側縁側を取出し口が開口するケース本体内の一側側に移動不能に固定する一方で、短辺他側縁側をフリー移動自在と成してカードの積層方向に略弓なり状に弾性変形するようにケース本体内に内設させることが好適なものとなる。請求項２）。
【手続補正４】
【補正対象書類名】明細書
【補正対象項目名】０００８
【補正方法】変更
【補正の内容】
【０００８】
本考案の請求項１記載によれば、ケース本体の操作長孔に指先を入れてカードを取出し口方向にスライドさせるように移動させることで、積層最上段の１枚目のカードから取り出すことができる。そして、１枚目のカードが取出し口から取り出されると、次のカードが取出し口の開口位置に対向するように略弓なり状に弾性変形する板状の弾性体により押し上げられることとなり、これにより、ケース本体内に積層収納させておいたカードを１枚ずつ確実に取出し口から繰り出しながら取り出すことができる。
従って、カードに印刷されている表示内容により、勝敗を決めたりするゲーム中においてケース本体に積層収納させておいたカードを１枚ずつ素早く取り出しながら勝敗を決める遊び（ゲーム）を行なうことができる。
しかも、ケース本体内に積層収納させておいた所要複数枚のカードを１枚ずつ取出し口の開口位置に対向するように板状の弾性体により順次に押し上げて取り出すことができる簡単な構造としてなることで、コストの面においても有利なカードケースを提供することが可能になる。
【手続補正５】
【補正対象書類名】明細書
【補正対象項目名】０００９
【補正方法】変更
【補正の内容】
【０００９】
また、請求項２記載によれば、弾性体は短辺一側縁側を取出し口が開口するケース本体内の一側側に移動不能に、そして短辺側縁側をフリー移動自在と成してカードの積層方向に付勢する略弓なり状に弾性変形する動き。
つまり、カードを取出し口方向にスライドさせる指先操作に伴う指先の動きによってカードの短辺一側縁を取出し口の開口位置に対向位置させるように、該短辺一側縁側を押し上げる弾性変形を成すようにケース本体内の取出し口側に弾性体を内設させてなることで、カードを積層方向に付勢する弾性体の略弓なり状に弾性変形する動きによってケース本体内に積層収納させておいた積層最上段のカードから１枚ずつ取出し口に確実に対向位置させながら素早く取り出すことができ、しかも、最後の１枚まで確実に取り出すことが可能になる。
【手続補正６】
【補正対象書類名】明細書
【補正対象項目名】００１９
【補正方法】変更
【補正の内容】
【００１９】
本例では、薄板状に形成した合成樹脂製の板材を用いて、長辺がカード収納部A-1の短辺一側から相対する他側側に至る程度の長さ（大きさ）を有する略矩形形状に形成した弾性体3-1にて形成して、図２及び図３に示すように、輪ゴム等のゴム材或いは引張りスプリング等のバネ材からなる弾発部材3-2によってカードＢを積層方向に押し上げ付勢する略弓なり状に弾性変形するようにケース本体Ａの開閉蓋A-2内面に配設する。
【手続補正７】
【補正対象書類名】明細書
【補正対象項目名】００２０
【補正方法】変更
【補正の内容】
【００２０】
次に、弾性体3-1の開閉蓋A-2内面への配設形態の具体例について説明すると、図３に示したように、取出し口２側に位置する開閉蓋A-2の短辺一側側内面に凸状の係止部５を設けて、該係止部５に弾性体3-1の短辺一側縁側を移動不能に係止保持させる。
そして、開閉蓋A-2の内面に長辺方向に平行な２本の案内開口溝７を設ける共に、この両側の案内開口溝７に離脱不能に嵌合係止せしめて前記係止部５と平行なスライド部材６を取り付けて、該スライド部材６に弾性体3-1の短辺他側縁側を係止保持させることによって、該短辺他側縁側をフリー移動自在と成し、輪ゴム等のゴム材からなる弾発部材3-2を図３の（ｂ）に示すように、係止部５からスライド部材６に亘り弾装せしめることで、カードＢの積層方向に略弓なり状に弾性変形（膨出変形）させる弾発力が弾性体3-1に付与されるようにしている（図２参照）。
【手続補正８】
【補正対象書類名】明細書
【補正対象項目名】００２５
【補正方法】変更
【補正の内容】
【００２５】
そして、図２（ｂ）に示すように、ケース本体ＡのカードＢの積層枚数が少なくなった場合でも、弾性体3-1の略弓なり状に弾性変形する動きによって、全てのカードＢが無くなるまで取出し口２の開口位置に対向位置されて全てのカードＢを１枚ずつ確実に繰り出しながら取り出せるものである。